(57)【要約】【課題】リモコンホルダーが表面側に露出して外観を損ねるおそれがないキャビネットへのリモコンホルダー取付け構造を提供する。【解決手段】キャビネットの前面に配設される開閉自在な前面板（３）の上端部（３５）を乗り越えて、前面板（３）の表面側および裏面側に出没自在にリモコンホルダー（１）を装着すべく、前面板（３）の裏面（３１）に装着したヒンジ（１３）を介してリモコンホルダー（１）を装着したことを特徴とする。【選択図】      図１
2004317094.tif 000002
【特許請求の範囲】
【請求項１】
キャビネットの前面に配設される開閉自在な前面板の上端部を乗り越えて、前面板の表面側および裏面側に出没自在にリモコンホルダーを装着すべく、前面板裏面に装着したヒンジを介してリモコンホルダーを装着したことを特徴とするキャビネットへのリモコンホルダー取付け構造。
【請求項２】
前面板裏面の上下方向に配設されたレールにヒンジの基部を上下動自在に装着するとともに、ヒンジの先端部にリモコンホルダーを水平方向に回動自在に装着したことを特徴とする請求項１のキャビネットへのリモコンホルダー取付け構造。
【請求項３】
ヒンジの先端部近傍を前面板の上端部に嵌合する形状に形成してホルダー保持部を設け、該ホルダー保持部の先端部にリモコンホルダーを装着してなることを特徴とする請求項１または２のキャビネットへのリモコンホルダー取付け構造。
【発明の詳細な説明】
【０００１】
【発明の属する技術分野】
この出願の発明は、キャビネットへのリモコンホルダー取付け構造に関するものである。さらに詳しくは、この出願の発明は、リモコンホルダーが表面側に露出して外観を損ねるおそれがないキャビネットへのリモコンホルダー取付け構造に関するものである。
【０００２】
【従来の技術】
従来、グリル付きキッチンキャビネットのように前面にグリルおよび操作パネルが配設された調理機器が備えられているキャビネットにリモコンホルダーを取付ける場合には、調理機器の横にリモコンホルダーを組み込み、前面をグリルおよび操作パネル部に露出させて取付けていた（たとえば、特許文献１参照）。
【０００３】
【特許文献１】
特開２０００−２７４７６１号公報
【０００４】
【発明が解決しようとする課題】
しかしながら、上記従来の技術においては、図４（Ａ）に示すように、リモコンホルダー（１００）およびリモコンホルダー（１００）に収納したリモコン（１１０）がグリル（１２０）および操作パネル部（１３０）の表面に露出するため、外観が損なわれるという欠点があり、またグリルおよび操作パネルが配設されていないキャビネットの場合には、リモコンホルダー（１００）を組み込むことができないため、図４（Ｂ）に示すようにキャビネットの引き出し前板、扉板等の前面板（１４０）や隣接する壁（１５０）の表面にリモコンホルダー（１００）を取付けざるを得ないが、リモコンホルダー（１００）が前面板（１４０）や壁（１５０）の表面に突出して取付けられるため、リモコンホルダー（１００）が目立ってさらに外観が損なわれるという欠点があった。
【０００５】
そこでこの出願の発明は、以上のとおりの事情に鑑みてなされたものであって、従来技術の問題点を解消し、リモコンホルダーが表面側に露出して外観を損ねるおそれがないキャビネットへのリモコンホルダー取付け構造を提供することを課題としている。
【０００６】
【課題を解決するための手段】
この出願の発明は、上記の課題を解決するものとして、第１には、キャビネットの前面に配設される開閉自在な前面板の上端部を乗り越えて、前面板の表面側および裏面側に出没自在にリモコンホルダーを装着すべく、前面板裏面に装着したヒンジを介してリモコンホルダーを装着したことを特徴とするキャビネットへのリモコンホルダー取付け構造を提供する。
【０００７】
また、この出願の発明は、第２には、前面板裏面の上下方向に配設されたレールにヒンジの基部を上下動自在に装着するとともに、ヒンジの先端部にリモコンホルダーを水平方向に回動自在に装着したことを特徴とするキャビネットへのリモコンホルダー取付け構造を、そして、第３には、ヒンジの先端部近傍を前面板の上端部に嵌合する形状に形成してホルダー保持部を設け、該ホルダー保持部の先端部にリモコンホルダーを装着してなることを特徴とするキャビネットへのリモコンホルダー取付け構造を提供する。
【０００８】
【発明の実施の形態】
この出願の発明は上記のとおりの特徴をもつものであるが、以下にその実施の形態について詳しく説明する。
【０００９】
図１および図２は、この出願の発明の一実施形態におけるリモコンの取り出し、もしくは収納の手順を例示しており、（Ａ）はリモコンホルダーを開閉自在な前面板の表面に露出させてリモコンを使用する状態を、（Ｂ）はリモコンホルダーを前面板の裏面に移動させる途中の状態を、（Ｃ）は（Ｂ）のリモコンホルダーを正面（前面板の裏面）方向に向かせるため、水平方向に回動させた際の状態を、（Ｄ）はリモコンホルダーを下方にスライドさせ、前面板の裏面に収納した状態をそれぞれ例示した図である。
【００１０】
これを図面に沿って説明すると、図１（Ａ）〜（Ｄ）および図２（Ａ）〜（Ｄ）に例示したとおり、このリモコンホルダー（１）は、ヒンジ（１３）の先端部近傍を構成するホルダー保持部（１１）に支持板（１２）を介して取付けられ、ヒンジ（１３）の基部を開閉自在な前面板（３）の裏面（３１）に取付けることにより装着され、リモコンを使用する時には、図１（Ａ）および図２（Ａ）に示すように前面板（３）の表面（３２）に移動させるようにしている。もちろん、リモコンは、リモコンホルダー（１）に着脱自在に収納されている。なお、前面板（３）としては、キャビネットの前面に配設される開閉自在な引き出し前板、扉板等を例示することができるが、特にこれに限定されるものではない。
【００１１】
リモコンホルダー（１）は、図１（Ａ）〜（Ｄ）および図２（Ａ）〜（Ｄ）に示すように、ホルダー保持部（１１）に収納されているリモコンとともにヒンジ（１３）を介すことにより、前面板（３）の上端部（３３）を乗り越えて表面（３２）側から裏面（３１）側に移動（矢印ａ）させることができる。もちろん、リモコンを使用する際には、逆の手順で、前面板（３）の裏面（３１）側から表面（３２）側に移動させる。
【００１２】
ヒンジ（１３）の先端部には、回動自在な回動部（１４）が具備されている。これによって、リモコンホルダー（１）を水平方向に回動（矢印ｂ）させることができるため、収納時のリモコンホルダー（１）の出っ張りによる収納スペースの制限を回避することができる。
【００１３】
またヒンジ（１３）の基部は、前面板（３）の裏面（３１）に固着した取付け板（４）に上下方向にわたって配設されているレール（３４）に係合して装着され、このレール（３４）に沿って収納時には下方向に、取り出し時には上方向にスライド（矢印ｃ）させることができる。
【００１４】
さらにまた、この出願の取付け構造において、ホルダー保持部（１１）は、前面板（３）の上端部（３３）の厚さおよび形状と合致もしくは略合致して嵌合する形状に形成しており、前面板（３）の上端部（３３）を乗り越えて嵌合されるように形成することが好ましい。これによって、リモコンホルダー（１）を取り出した後、前面板（３）を閉じることによって、このホルダー保持部（１１）は、前面板（３）と前面板（３）の近傍に配設されているキャビネットの天板（５）および天板（５）裏面に配設された天板支持桟（６）との隙間にも合致、もしくは略合致するため、より安定に保持される。
【００１５】
また、前面板（３）上端面と天板（５）裏面との隙間、ならびに前面板（３）の上端部（３３）裏面と天板支持桟（６）前端面（戸当り面）との隙間（ｓ）は、引き出し前板、扉板等の前面板（３）を開閉する際に、開閉操作を円滑に行うために重要であり、かかる隙間部にヒンジ（１３）の軸部を配設した場合には、前面板（３）の開閉操作に支障をきたしたり、前面板（３）がきっちりと閉まらなくなったりするおそれがあるが、上記のようにホルダー保持部（１１）の形状を前面板（３）の上端部（３３）に嵌合する形状に形成すると、かかる問題も生ずることなく前面板（３）を円滑に開閉することができる。
【００１６】
なお、リモコンホルダーを取り出す際には、図１（Ａ）〜図１（Ｄ）あるいは図２（Ａ）〜図２（Ｄ）の手順で、また収納する際には、その逆の図１（Ｄ）〜図１（Ａ）あるいは図２（Ｄ）〜図２（Ａ）の手順で行う。
【００１７】
また図２の例に示したとおり、レール（３４）が配設されている取付け板（４）が、前面板（３）の裏面（３１）に取付けられ、この取付け板（４）のレール（３４）にヒンジ（１３）の基部が係合されている。これによって、既存のキャビネットの扉板や引き出し前板、扉板等の前面板にも、この出願の取付け構造によって後付けでリモコンホルダー（１）を設置することもできる。すなわち、上記リモコンホルダー（１）、支持板（１２）、ヒンジ（１３）、レール（３４）および取付け板（４）を予め一体化してリモコンホルダーユニットを形成した場合には、該リモコンホルダーユニットを、新設のキャビネットに取付ける場合にも、既設のキャビネットに後付けで取付ける場合にも共用できるので好ましい。もちろん、このレール（３４）は、前面板（３）の裏面（３１）に直接設けられていてもよい。
【００１８】
さらにまた、ヒンジ（１３）を係止するため、この係止に十分程度な大きさもしくは形状を有した係止部（３６）が、レール（３４）の上下の両端部に横方向に延長して設けられていることが好ましい。さらにまた、前記レール（３４）は、溝等所望の形状にて設ければよい。
【００１９】
図２（Ａ）〜図２（Ｄ）に例示したとおり、前記レール（３４）の上下の両端部には横方向に前記のような係止部（３６）が設けてある。この係止部（３６）に沿って、ヒンジ（１３）をスライドすることによって係止することができる。
【００２０】
図３は、この出願の発明をシステムキッチンに設置した様子を模式的に例示した図であり、（Ａ）はリモコンホルダー使用時の全体斜視図、（Ａ’）は（Ａ）の側面図、（Ｂ）はリモコンホルダー収納時の全体斜視図、（Ｂ’）は（Ｂ）の側面図である。
【００２１】
この図３（Ａ）および（Ａ’）に示すとおり、リモコンを使用する際には、リモコンホルダー（１）とともにリモコンをシステムキッチンのキャビネット（７）内から取り出し、引き出し前板、扉板等の前面板（３）の表面（３２）に設置することによって、リモコンによって、システムキッチンに備えられている調理器具（８）やレンジフード（９）等の各種のキッチン装置を遠隔操作することができる。
【００２２】
次に図３（Ｂ）および（Ｂ’）に例示したとおり、リモコンの使用後は、リモコンホルダー（１）とともにリモコンをキャビネット（７）内に収納することによって、リモコンホルダー（１）が前面板（３）の表面側に露出することなく、すっきりとした外観となる。図には示していないが、特にグリルや操作パネル等が調理機器（８）の下部に備えられていないシステムキッチンでは、この出願の発明の取付け構造によって、外観性を一層向上させることができる。
【００２３】
もちろん、この出願の発明は以上の例示に限られることはない。たとえば、キャビネット、リモコンホルダー、ヒンジ等の形状、構造等、細部については様々な態様が可能であることは言うまでもない。
【００２４】
【発明の効果】
以上詳しく説明したとおり、この出願の発明によって、リモコンホルダーが表面側に露出して外観を損ねるおそれがないキャビネットへのリモコンホルダー取付け構造が提供される。
【図面の簡単な説明】
【図１】この出願の発明の一実施形態におけるリモコンの取り出し、もしくは収納の手順を例示した要部断面図であり、（Ａ）はリモコンホルダーを開閉自在な前面板の表面に露出させてリモコンを使用する状態を、（Ｂ）はリモコンホルダーを前面板の裏面に移動させる途中の状態を、（Ｃ）は（Ｂ）のリモコンホルダーを正面（前面板の裏面）方向に向かせるため、水平方向に回動させた際の状態を、（Ｄ）はリモコンホルダーを下方にスライドさせ、前面板の裏面に収納した状態をそれぞれ例示した図である。
【図２】図１の実施形態を例示した要部斜視図であり、（Ａ）はリモコンホルダーを開閉自在な前面板の表面に露出させてリモコンを使用する状態を、（Ｂ）はリモコンホルダーを前面板の裏面に移動させる途中の状態を、（Ｃ）は（Ｂ）のリモコンホルダーを正面（前面板の裏面）方向に向かせるため、水平方向に回動させた際の状態を、（Ｄ）はリモコンホルダーを下方にスライドさせ、前面板の裏面に収納した状態をそれぞれ例示した図である。
【図３】この出願の発明をシステムキッチンに設置した様子を模式的に例示した図であり、（Ａ）はリモコンホルダー使用時の全体斜視図、（Ａ’）は（Ａ）の側面図、（Ｂ）はリモコンホルダー収納時の全体斜視図、（Ｂ’）は（Ｂ）の側面図である。
【図４】従来のリモコンホルダーの取付け例を示した部分拡大斜視図付き斜視図であり、（Ａ）はグリルや操作パネルが備えられているシステムキッチンの場合を、（Ｂ）はグリルや操作パネルが備えられていないシステムキッチンの場合をそれぞれ例示した図である。
【符号の説明】
１    リモコンホルダー
１１  ホルダー保持部
１２  支持板
１３  ヒンジ
１４  回動部
３    前面板
３１  裏面
３２  表面
３３  上端部
３４  レール
３６  係止部
４    取付け板
５    天板
６    天板支持桟
７    キャビネット
８    調理機器
９    レンジフード
１００    リモコンホルダー
１１０    リモコン
１２０    グリル
１３０    操作パネル部
１４０    前面板
【図１】
2004317094.tif 000003
【図２】
2004317094.tif 000004
【図３】
2004317094.tif 000005
【図４】
2004317094.tif 000006